(57)【要約】【課題】溝を備えた基材と、端部が前記溝に入り込むようにして前記基材を覆っている皮革とを備えた内装具において、製作が容易な内装部品を提供する【解決手段】溝３を備えた基材５と、皮革７、９と、皮革７、９に一体的に設けられたガイド部材１１とを有し、ガイド部材１１とガイド部材１１の近くに存在してい皮革７、９の部位とが溝３内に設けられて、皮革７、ｌ９で基材５を覆っている。【選択図】図２
2008137437.tif 000002
【特許請求の範囲】
【請求項１】
溝を備えた基材と、皮革と、前記皮革に一体的に設けられたガイド部材とを有し、前記ガイド部材と前記ガイド部材の近くに存在している前記皮革の部位とが前記溝内に設けられて、前記皮革で前記基材を覆っていることを特徴とする内装具。
【請求項２】
溝を備えた基材と、第１の皮革と、この第１の皮革の端縁に沿って前記第１の皮革に一体的に設けられたガイド部材と、前記ガイド部材を間にした前記第１の皮革の反対側で、端縁が前記第１の皮革の端縁に沿うようにして、前記ガイド部材に一体的に設けられた第２の皮革とを有し、前記ガイド部材と前記ガイド部材の近くに存在している前記各皮革の部位とが前記溝内に設けられて、前記各皮革で前記基材を覆っていることを特徴とする内装具。
【請求項３】
基材と；
前記基材の表面に長く設けられている溝と；
第１の皮革と；
前記第１の皮革の端縁に端縁がほぼ一致するようにして、また、前記端縁からこの近傍にかけての帯状の部位が前記第１の皮革の端縁からこの近傍の部位にかけての帯状の部位に重なるようにして第１の縫製がなされ、前記第１の皮革に一体的に設けられていると共に、前記第１の縫製による第１の縫製部位が、前記帯状の部位の幅方向の端部であって前記端縁とは反対側に位置している端部に沿って設けられている第２の皮革と；
第２の縫製がなされて、前記各帯状の部位の間であって前記第１の縫製部位よりも前記各皮革の端縁側で、前記各皮革に一体的に設けられていると共に、前記第２の縫製による第２の縫製部位が、前記各帯状部位の幅方向の中間部を前記各皮革の端縁に沿って設けられているガイド部材と；
を有し、前記ガイド部材と前記各帯状部位とが前記溝内に一体的に設けられて、前記各皮革で前記基材を覆っていることを特徴とする内装具。
【請求項４】
請求項１〜請求項３のいずれか１項に記載の内装具において、
前記ガイド部材を前記溝に係止するための係止手段が設けられていることを特徴とする内装具。
【発明の詳細な説明】
【技術分野】
【０００１】
本発明は、自動車のインストルメントパネル等の内装具に係り、特に、表面が皮革で覆われているものに関する。
【背景技術】
【０００２】
図１２は、従来のインストルメントパネル２００の断面を示す図である。
【０００３】
従来のインストルメントパネル（インパネ）２００は、基材２０２と、この基材２０２に設けられた溝２０４と、端縁が溝２０４に入り込んで基材２０２を覆うように設けられている皮革２０６と、皮革２０６と同様に設けられている皮革２０８とを備えて構成されている（たとえば、特許文献１の図５参照）。なお、各皮革２０６、２０８はこれらの端縁の近くでお互いが糸２１０で縫製されている。
【０００４】
なお、従来のインパネ２００に関連する特許文献として、さらに、特許文献２を掲げることができる。
【特許文献１】特開２００４−３５９１７０号公報
【特許文献２】特開２００２−７９８５２号公報
【発明の開示】
【発明が解決しようとする課題】
【０００５】
ところで、従来のインパネ２００では、皮革２０６、２０８が柔らかい素材であるので、縫製された各皮革２０６、２０８の端部を溝２０４にはめ込んで接着固定する際、冶具を用いて皮革２０６、２０８の端部を溝２０４にはめ込む必要があり、インパネ２００の組み立てに熟練を要し制作が困難であるという問題がある。
【０００６】
なお、前記問題は、インパネを組み立てる場合だけでなく、インパネと同様な構成を備えた内装具（たとえば、自動車のドアに内側のパネル等）を組み立てる場合にも発生する問題である。
【０００７】
本発明は、前記問題点に鑑みてなされたものであり、溝を備えた基材と、端部が前記溝に入り込むようにして前記基材を覆っている皮革とを備えた内装具において、製作が容易な内装具を提供することを目的とする。
【課題を解決するための手段】
【０００８】
請求項１に記載の発明は、溝を備えた基材と、皮革と、前記皮革に一体的に設けられたガイド部材とを有し、前記ガイド部材と前記ガイド部材の近くに存在している前記皮革の部位とが前記溝内に設けられて、前記皮革で前記基材を覆っている内装具である。
【０００９】
請求項２に記載の発明は、溝を備えた基材と、第１の皮革と、この第１の皮革の端縁に沿って前記第１の皮革に一体的に設けられたガイド部材と、前記ガイド部材を間にした前記第１の皮革の反対側で、端縁が前記第１の皮革の端縁に沿うようにして、前記ガイド部材に一体的に設けられた第２の皮革とを有し、前記ガイド部材と前記ガイド部材の近くに存在している前記各皮革の部位とが前記溝内に設けられて、前記各皮革で前記基材を覆っている内装具である。
【００１０】
請求項３に記載の発明は、基材と、前記基材の表面に長く設けられている溝と、第１の皮革と、前記第１の皮革の端縁に端縁がほぼ一致するようにして、また、前記端縁からこの近傍にかけての帯状の部位が前記第１の皮革の端縁からこの近傍の部位にかけての帯状の部位に重なるようにして第１の縫製がなされ、前記第１の皮革に一体的に設けられていると共に、前記第１の縫製による第１の縫製部位が、前記帯状の部位の幅方向の端部であって前記端縁とは反対側に位置している端部に沿って設けられている第２の皮革と、第２の縫製がなされて、前記各帯状の部位の間であって前記第１の縫製部位よりも前記各皮革の端縁側で、前記各皮革に一体的に設けられていると共に、前記第２の縫製による第２の縫製部位が、前記各帯状部位の幅方向の中間部を前記各皮革の端縁に沿って設けられているガイド部材とを有し、前記ガイド部材と前記各帯状部位とが前記溝内に一体的に設けられて、前記各皮革で前記基材を覆っている内装具である。
【００１１】
請求項４に記載の発明は、請求項１〜請求項３のいずれか１項に記載の内装具において、前記ガイド部材を前記溝に係止するための係止手段が設けられている内装具である。
【発明の効果】
【００１２】
本発明によれば、溝を備えた基材と、端部が前記溝に入り込むようにして前記基材を覆っている皮革とを備えた内装具において、製作が容易な内装具を提供することができるという効果を奏する。
【発明を実施するための最良の形態】
【００１３】
図１は、本発明の実施形態に係るインストルメントパネル（インパネ）１の概略構成を示す図であり、図２は、図１におけるＩＩ−ＩＩ断面を示す図である。なお、図１に示すインパネ１の表面は、適宜の曲面形状になっている。
【００１４】
インパネ１は、溝３を備えた基材５と、板状の各皮革７、９と、ガイド部材１１とを備えて構成されている。なお、本件明細書では、インパネ（自動車の運転席および助手席の前方に設置されるパネル）１を例に掲げて説明するが、ドアパネル（自動車のドアの内側に設置されるパネル）、自動車のシフトノブ、パーキングブレーキノブ、ドアの取手等の自動車の内装具、家具や部屋の壁等の室内の内装具にも、インパネ１と同様な構成を備えたものを適用することができる。
【００１５】
ガイド部材１１は、皮革７の端縁の近くでこの端縁に沿って皮革７に一体的に設けられている。また、皮革９は、ガイド部材１１を間にした皮革７の反対側で、皮革９の端縁が皮革７の端縁に沿うようにして、ガイド部材１１に一体的に設けられている。
【００１６】
ガイド部材１１は、各皮革７、９よりも剛性の高い部材（溝３の形状に応じて変形する程度の剛性を備えた合成樹脂、ゴム、金属、細いガラスを束ねた部材等）で、たとえば、帯状もしくは棒状に形成されている。
【００１７】
そして、ガイド部材１１とこのガイド部材１１の近くに存在している各皮革７、９の部位（各皮革７、９の端縁およびこの近傍の部位）とが溝３内に一体的に設けられている。なお、溝３とガイド部材１１と各皮革７、９の端縁とは、図２の紙面に直角な方向に延びている。
【００１８】
また、各皮革７、９の他の部位（ガイド部材１１の近くに存在している部位以外の部位；溝３内に存在している部位以外の部位）が、基材５の溝３以外の他の部位（溝３を除いた基材５の表面）に一体的に設けられて、各皮革７、９が貼られて基材５を覆っている。
【００１９】
なお、インパネ１では、各皮革７、９の境界（溝３）が、直線状に延びているが、図１に一点鎖線Ｌ１で示すように凸状（凹状）に湾曲して延びていてもよいし、図１に一点鎖線Ｌ２で示すように波状に湾曲して延びていてもよいし、図１に一点鎖線Ｌ３で示すように、折れ曲がって延びていてもよい。
【００２０】
また、ガイド部材１１には、このガイド部材１１を、溝３に係止するための係止手段１３が設けられているが、この係止手段１３を削除した構成であってもよい。
【００２１】
インパネ１についてより詳しく説明する。
【００２２】
基材５は、硬質の部材（硬質の合成樹脂等）で構成された本体部１５と、軟質の部材（発泡ウレタン等）で構成された覆工部材１７とを備えて構成されている。覆工部材１７は、膜状に形成されており、本体部１５の表面を覆うように本体部１５に一体的に設けられている。なお、覆工部材１７を削除した構成であってもよい。
【００２３】
溝３は、基材５の表面で、前述したように、図２の紙面に直角な方向に長く延びて設けられている。また、図２に示すように、長手方向に対して直交する平面による断面がたとえば矩形状に形成されている。
【００２４】
各皮革７、９は、それぞれの端縁がほぼ一致するようにして、また、各端縁からこの近傍にかけての帯状の部位７Ａ、９Ａがお互いに重なるようにして、たとえば、糸１９を用いて縫製されている。したがって、皮革７と皮革９とはお互いが一体になっている。
【００２５】
なお、糸１９による縫製部位は、帯状の部位７Ａ、９Ａの幅方向（図２の上下方向）の端部であって各皮革７、９の端縁とは反対側に位置している端部に沿って設けられている。すなわち、糸１９による縫製部位は、図２に示す帯状の各部位７Ａ、９Ａの上側に位置する端部で、図２の紙面に直交する方向に延びて設けられている。
【００２６】
ガイド部材１１は、図２に示すように、長手方向に対して直交する平面による断面が、前述したように、たとえば矩形状に形成されている。また、ガイド部材１１は、各帯状の部位７Ａ、９Ａの間であって糸１９による縫製部位よりも各皮革７、９の端縁側で、たとえば糸２１による縫製がなされて、各皮革７、９に一体的に設けられている。
【００２７】
なお、糸２１による縫製部位は、各帯状部位７Ａ、９Ａの幅方向の中間部（図２の上下方向の中間部）を各皮革７、９の端縁に沿って延びている（図２の紙面に直交する方向に延びている）。
【００２８】
ガイド部材１１の幅方向（図２の上下方向）の端部（糸１９による縫製部位とは反対側の端部）は、各皮革７、９の端縁から僅かに突出している（図２の下側に突出している）。また、糸１９による縫製部位では各皮革７、９がお互いに接触しており、ガイド部材１１が各皮革７、９の間には存在していない。したがって、図２の矢印ＡＲ１の方向から眺めた場合、ガイド部材１１は見えないようになっており、インパネ１の外観を良好なものに保つことができるようになっている。
【００２９】
そして、ガイド部材１１と各帯状部位７Ａ、９Ａとが溝３内に一体的に設けられている。また、各皮革７、９の他の部位が基材５の溝３以外の他の部位に、たとえば、接着剤や粘着材を用いて一体的に設けられて、各皮革７、９で基材５を覆っている。
【００３０】
各皮革７、９には、飾り用のステッチ（縫い目）２３、２５が設けられているが、これらのステッチ２３、２５は削除されていてもよい。
【００３１】
ここで、各皮革７、９とガイド部材１１とを縫製する手順について、図４を参照して説明する。
【００３２】
まず、図４（ａ）に示すように、飾り用のステッチ２３、２５が設けられている各皮革７、９の端縁をそろえて、糸１９によって、各皮革７、９を縫製する。続いて、各皮革７、９の間にガイド部材１１を挿入して、各皮革７、９とガイド部材１１とを糸２１で縫製する。
【００３３】
なお、上述した手順とは逆の手順で、各皮革７、９とガイド部材１１とを一体的に形成してもよい。すなわち、まず、糸２１を用いて、各皮革７、９とガイド部材１１とを一体的に縫製し、この後、糸１９を用いて、各皮革７、９同士を一体的に縫製してもよい。
【００３４】
また、糸１９や糸２１を用いる代わりに、たとえば、接着剤等の固定部材を用いて、各皮革７、９やガイド部材１１を一体的に生成してもよい。
【００３５】
ここで、係止手段１３について詳しく説明する。
【００３６】
基材５は、図２から理解されるように所定の厚さを備えて構成されている。そして溝３の底には、複数の貫通孔２７が、図２の紙面の垂直な方向に並んで間隔をあけて設けられている。ガイド部材１１の幅方向の端部（図２に示す下側の端部）には、貫通孔２７に係合する係合部２９が複数設けられており、各貫通孔２７に各係合部２９が係合することによって、ガイド部材１１が溝３に係止されるようになっている。
【００３７】
係合部２９は、ガイド部材１１とたとえば一体で形成されている。また、係合部２９は、ガイド部材１１の幅方向の端部から延出している円柱状の部位３１と、この円柱状の部位３１の先端部に設けられた円錐状の部位３３と、円柱状の部位３１と円錐状の部位３３との軸に沿って設けられた切り欠き３５とによって構成されている。この切り欠きは、図２の下側に二点鎖線で示すように、十字状に形成されている。
【００３８】
円錐状の部位３３の大径部における直径Ｄ１は貫通孔２７の直径よりも大きく、円柱状の部位３１の直径Ｄ３は貫通孔２７の直径よりも僅かに小さくなっている。また、円柱状の部位３１の長さは、貫通孔２７の長さよりも僅かに長くなっている。
【００３９】
そして、ガイド部材１１を各皮革７、９と共に溝３に挿入すると、係合部２９の円錐状の部位３３と貫通孔２７の内壁とが接触し、切り欠き３５によって円錐状の部位３３と円柱状の部位３１とがたわみ、円錐状の部位３３が貫通孔２７を通過するとたわみが解消され、係合部２９が貫通孔２７に設置され、ガイド部材１１が溝３に係止されるようになっている。
【００４０】
なお、貫通孔２７や係合部２９が上述したように円形状である必要はなく、矩形状に形成されている構成であってもよい。たとえば、図３に示すように、直方体状の部位３１ａと三角柱状（たとえば、直角三角柱状）の部位３３ａとで構成し、また、ガイド部材１１の長手方向で間隔をあけて設けてもよい。この場合、貫通孔２７も、係合部２９に応じた矩形な形状に形成されており、部位３３ａの最大幅ｂ１は、矩形状の貫通孔の幅ｂ３（図２参照）よりも、僅かに小さくなっているものとする。なお、部位３３ａの最大幅ｂ１を、貫通孔の幅ｂ３と等しくするか僅かに大きくしておき、部位３３ａを貫通孔に挿入する際、部位３３ａが弾性変形するように構成されていてもよい。さらには、部位３３ａに対する貫通孔の位置を偏って設け（図２の左右方向のいずれか一方の方向に偏って設け）、部位３３ａ（係合部２９）を貫通孔に挿入する際、部位３３ａの斜辺（斜面）が貫通孔に当接して係合部２９（部位３１ａ、３３ａ）が弾性変形するように構成されていてもよい。
【００４１】
次に、基材５への、図４（ｂ）のように一体的に形成されている各皮革７、９とガイド部材１１との組み付け作業について説明する。
【００４２】
まず、溝３内にガイド部材１１と各皮革７、９の帯状部位７Ａ、９Ａとを挿入し、係合部２９を貫通孔２７に挿入し、ガイド部材１１を溝３に設置する。続いて、各皮革７、９の他の部位を、接着剤等を用いて基材５に貼り付けて固定する。なお、ガイド部材１１を溝３に設置する際、各皮革７、９の帯状部位７Ａ、９Ａを、接着剤や粘着剤を用いて、溝３に固定してもよい。
【００４３】
ところで、各皮革７、９の他の端縁（溝３に挿入される端縁以外の端縁）の処理について、図５を用い例を掲げて説明する。
【００４４】
各皮革７、９の他の端縁に対応する基材５の部位には、凹部３７が設けられており、この凹部３７に皮革７（９）の端縁が入り込んで、アンカー部材３９で基材５に一体的に固定されている。さらに、凹部３７を覆うようにして、化粧部材４１が基材５の凹部３７に一体的に設けられている。
【００４５】
インパネ１によれば、各皮革７、９の端縁とこの近傍の部位（端部；帯状の部位７Ａ、９Ａ）を、剛性を備えたガイド部材１１と共に溝３に設置するので、インパネ１を組み立てる際に冶具等が不要になり、インパネ１の製作が容易になる。
【００４６】
また、各皮革７、９とガイド部材１１との縫製（糸２１による縫製）を行ってから、皮革７、９同士の縫製（糸１９による縫製）を行うようにすれば（図４（ａ）、（ｂ）の順に示す手順とは逆の手順で各皮革７、９とガイド部材１１とを一体化すれば）、ガイド部材１１が剛性を備えているので、皮革７、９同士の縫製部位においても各皮革７、９がある程度の剛性を備えており、皮革７、９同士の縫製（糸１９による縫製）がしやすくなっており、たとえば、直線状の見栄えのよい皮革７、９同士の縫製（糸１９による縫製）を容易に行うことができ、インパネ１の見栄えを良好なものにすることができる。
【００４７】
また、インパネ１によれば、係止手段１３を備えているので、各皮革７、９を基材５に設置する際、係止手段１３で各皮革７、９を基材５に仮止めすることができ、インパネ１の組み立て作業が一層容易になっている。
【００４８】
ここで、インパネ１の変形例について説明する。
【００４９】
図６〜図１１は、インパネ１の変形例を示す図であり、図２に対応した図である。なお、図６〜図１１では、係止手段１３や飾りステッチ２３、２５の表示を省略してある。さらに、図６〜図１１では、覆工部材１７の表示を省略してある。
【００５０】
図６に示すように、糸１９による縫製をすることなく、各皮革７、９の帯状の部位７Ａ、９Ａでガイド部材１１を挟み込み、糸２１で各皮革７、９とガイド部材１１とを一体に形成した構成であってもよい。また、図７に示すように、各皮革７、９の帯状部位を折り返して糸４３、４５で縫製し、各折り返し部とガイド部材１１とを糸４７で縫製し、溝３内にガイド部材１１のみを挿入した構成であってもよい。
【００５１】
また、図８に示すように、各皮革７、９の各帯状部位７Ａ、９Ａを各ガイド部材４９、５１で挟み込んで、糸５３で縫製した構成であってもよい。このように構成すれば、基材５と各ガイド部材４９、５１との摩擦係数が小さくなるので、各帯状部位７Ａ、９Ａと各ガイド部材４９、５１との溝３内への挿入が一層容易になる。
【００５２】
また、図９に示すように、１枚の皮革５５にガイド部材１１を糸５７で縫製して固定した構成であってもよいし、図１０に示すように、一枚の皮革５９でガイド部材１１を包み込み、糸６１で皮革５９を縫製した構成であってもよい。
【００５３】
さらに、図１１に示すように、１枚の皮革６３の端部にガイド部材１１を糸６５で縫製し固定した構成であってもよい。この場合、化粧部材６７で、ガイド部材１１が隠されていることが望ましい。
【００５４】
なお、インパネ１は、溝を備えた基材と、板状の皮革と、この皮革の端縁の近くで前記端縁に沿って前記皮革に一体的に設けられたガイド部材とを有し、前記ガイド部材と前記ガイド部材の近くに存在している前記皮革の部位（前記皮革の端縁およびこの近傍の部位）とが前記溝内に一体的に設けられていると共に、前記皮革の他の部位（前記ガイド部材の近くに存在している部位以外の部位）が前記基材の溝以外の他の部位（溝を除いた基材の表面）に一体的に設けられて、前記皮革で前記基材を覆っている内装具の例である。また、皮革として、天然の皮革の他、合成皮革を採用してもよい。
【図面の簡単な説明】
【００５５】
【図１】本発明の実施形態に係るインストルメントパネル（インパネ）の概略構成を示す図である。
【図２】図１におけるＩＩ−ＩＩ断面を示す図である。
【図３】係止手段の変形例を示す図である。
【図４】皮革とガイド部材とを縫製する手順を説明する図である。
【図５】皮革の他の端縁（溝に挿入される端縁以外の端縁）の処理について説明する図である。
【図６】インパネの変形例を示す図であり、図２に対応した図である。
【図７】インパネの変形例を示す図であり、図２に対応した図である。
【図８】インパネの変形例を示す図であり、図２に対応した図である。
【図９】インパネの変形例を示す図であり、図２に対応した図である。
【図１０】インパネの変形例を示す図であり、図２に対応した図である。
【図１１】インパネの変形例を示す図であり、図２に対応した図である。
【図１２】従来のインストルメントパネルの断面を示す図である。
【符号の説明】
【００５６】
１  インパネ
３  溝
５  基材
７、９、５５、５９、６３  皮革
１１、４９、５１  ガイド部材
１３  係止手段
１９、２１、４３、４５、４７、５３、５７、６１、６５  糸
【図１】
2008137437.tif 000003
【図２】
2008137437.tif 000004
【図３】
2008137437.tif 000005
【図４】
2008137437.tif 000006
【図５】
2008137437.tif 000007
【図６】
2008137437.tif 000008
【図７】
2008137437.tif 000009
【図８】
2008137437.tif 000010
【図９】
2008137437.tif 000011
【図１０】
2008137437.tif 000012
【図１１】
2008137437.tif 000013
【図１２】
2008137437.tif 000014